(57)【要約】【課題】吸収性物品の着用者に心地良い温かさを感じさせること。【解決手段】肌側シート（３）、非肌側シート（５）、及び前記肌側シート（３）と前記非肌側シート（５）との間に設けられた吸収体（２）を備える吸収性物品（１）であって、着用者が前記吸収性物品（１）を着用してから２０分後に、０．１度以上５．０度以下だけ前記着用者の皮膚表面温度を上昇させる温度上昇材（３０）を有することを特徴とする吸収性物品。【選択図】図６
2020121216.tif 000002
【特許請求の範囲】
【請求項１】
肌側シート、非肌側シート、及び前記肌側シートと前記非肌側シートとの間に設けられた吸収体を備える吸収性物品であって、
着用者が前記吸収性物品を着用してから２０分後に、０．１度以上５．０度以下だけ前記着用者の皮膚表面温度を上昇させる温度上昇材を有することを特徴とする吸収性物品。
【請求項２】
請求項１に記載の吸収性物品であって、
着用者が前記吸収性物品を着用してから２０分後に、０．４度以上０．９度以下だけ前記着用者の皮膚表面温度を上昇させる温度上昇材を有することを特徴とする吸収性物品。
【請求項３】
請求項１又は２に記載の吸収性物品であって、
互いに直交する長手方向、幅方向、及び厚さ方向を備え、
前記長手方向において、前記吸収性物品の一端から中央側に１５０ｍｍ離れた位置までの領域の少なくとも一部に、前記温度上昇材が設けられていることを特徴とする吸収性物品。
【請求項４】
請求項１から３の何れか１項に記載の吸収性物品であって、
互いに直交する長手方向、幅方向、及び厚さ方向を備え、
前記厚さ方向の非肌側にそれぞれウィング粘着部を備えた、前記幅方向の外側に突出する一対のウィング部を有しており、
前記ウィング粘着部と前記長手方向について重なる領域、且つ前記吸収体と前記幅方向について重なる領域において、
前記幅方向における中央部には、前記温度上昇材が設けられておらず、
前記幅方向における端部には、前記温度上昇材が設けられていることを特徴とする吸収性物品。
【請求項５】
請求項４に記載の吸収性物品であって、
前記吸収性物品を前記厚さ方向における肌側から見て、
前記吸収性物品の前記長手方向の少なくとも一方の端部は、前記温度上昇材が設けられた端部配置領域を有し、
前記ウィング粘着部と前記長手方向について重なる領域、且つ前記吸収体と前記幅方向について重なる領域は、前記温度上昇材が設けられた中央配置領域を有し、
前記幅方向において、
前記端部配置領域の最大長さは、前記中央配置領域の最大長さより長いことを特徴とする吸収性物品。
【請求項６】
請求項１から５のいずれか１項に記載の吸収性物品であって、
互いに直交する長手方向、幅方向、及び厚さ方向を備え、
前記厚さ方向の非肌側にそれぞれウィング粘着部を備えた、前記幅方向の外側に突出する一対のウィング部を有しており、
前記吸収性物品を前記厚さ方向における肌側から見て、
前記吸収性物品の前記長手方向の少なくとも一方の端部は、前記温度上昇材が設けられた端部配置領域を有し、
前記端部配置領域の少なくとも一部の色は、前記ウィング粘着部と前記長手方向について重なる領域且つ前記吸収体と前記幅方向について重なる領域の色と異なることを特徴とする吸収性物品。
【請求項７】
請求項６に記載の吸収性物品であって、
前記吸収性物品を前記厚さ方向における肌側から見て、
前記ウィング粘着部と前記長手方向について重なる領域且つ前記吸収体と前記幅方向について重なる領域において、
前記幅方向における中央部には、前記温度上昇材が設けられておらず、
前記幅方向における端部には、前記温度上昇材が設けられており、
前記幅方向における中央部と前記幅方向における端部の色が同じであることを特徴とする吸収性物品。
【請求項８】
請求項１から７のいずれか１項に記載の吸収性物品であって、
互いに直交する長手方向、幅方向、及び厚さ方向を備え、
前記吸収性物品を前記厚さ方向における肌側から見て、
前記吸収性物品の前記長手方向の少なくとも一方の端部は、前記温度上昇材が設けられた端部配置領域を有し、
前記端部配置領域には、前記吸収性物品の腹側であることを示す表示又は前記吸収性物品の背側であることを示す表示が設けられていることを特徴とする吸収性物品。
【請求項９】
請求項１から８のいずれか１項に記載の吸収性物品であって、
前記肌側シート、前記非肌側シート、及び前記吸収体を備える吸収性物品本体部と、
前記温度上昇材を備える温度上昇部と、を有し、
前記吸収性物品本体部と温度上昇部とが分離可能であることを特徴とする吸収性物品。
【請求項１０】
請求項１から９のいずれか１項に記載の吸収性物品であって、
互いに直交する長手方向、幅方向、及び厚さ方向を備え、
前記吸収性物品の前記長手方向の少なくとも一方の端部は、前記温度上昇材が設けられたシートを有し、
前記吸収性物品は、前記シートが配置された領域において、前記シートが前記吸収体と前記厚さ方向に重なる重複領域と、前記シートが前記吸収体と前記厚さ方向に重ならない非重複領域と、を有し、
前記非重複領域は、前記重複領域に比べて、前記温度上昇材の坪量が高い領域を有することを特徴とする吸収性物品。
【請求項１１】
請求項１から１０のいずれか１項に記載の吸収性物品と、
前記吸収性物品を包装する包装材と、を備える吸収性物品包装体であって、
前記包装材が、前記吸収性物品が前記温度上昇材を備えていることを想起させる想起表示を有することを特徴とする吸収性物品包装体。
【請求項１２】
請求項１から１０のいずれか１項に記載の吸収性物品が、包装材で包装された吸収性物品包装体と、
前記吸収性物品包装体を収容する袋体と、を有する吸収性物品包装体のパッケージであって、
前記袋体は、前記吸収性物品を示す図柄を有し、
前記吸収性物品を示す図柄の中に、前記温度上昇材を配置した領域を示す表示を備えることを特徴とする吸収性物品包装体のパッケージ。
【請求項１３】
肌側シート、非肌側シート、及び前記肌側シートと前記非肌側シートとの間に設けられた吸収体を備える吸収性物品と、
着用者が前記吸収性物品を着用してから２０分後に、０．１度以上５．０度以下だけ前記着用者の皮膚表面温度を上昇させる温度上昇材を備える温度上昇部材と、
を有することを特徴とする吸収性物品と温度上昇部材のセット。
【請求項１４】
肌側シート、非肌側シート、及び前記肌側シートと前記非肌側シートとの間に設けられた吸収体を備える吸収性物品と共に使用される温度上昇部材であって、
着用者が前記吸収性物品を着用してから２０分後に、０．１度以上５．０度以下だけ前記着用者の皮膚表面温度を上昇させる温度上昇材を備えることを特徴とする温度上昇部材。
【発明の詳細な説明】
【技術分野】
【０００１】
本発明は、吸収性物品、吸収性物品包装体、吸収性物品包装体のパッケージ、吸収性物品と温度上昇部材のセット、及び、温度上昇部材に関する。
【背景技術】
【０００２】
生理用ナプキン等の吸収性物品では、着用時が蒸れを感じ難いことが求められる。吸収性物品の保温率が高いことで、着用者が暑さを感じ、発汗し、蒸れにつながりやすいことから、特許文献１には、４５％以下の保温率とした吸収性物品が開示されている。
【先行技術文献】
【特許文献】
【０００３】
【特許文献１】特開２０１２−１００９４５号公報
【発明の概要】
【発明が解決しようとする課題】
【０００４】
一方で、吸収性物品に排泄され、環境温度により冷やされた排泄物が、着用者に接触し、着用者が冷えを感じることがある。着用者の体の冷えは、生理痛や腰痛等の原因につながるため、着用者の体を温めることも求められている。ただし、着用者の体を過度に温め過ぎてしまうと、着用者が痛みや痒さを感じる恐れがある。
【０００５】
そこで、本発明は、上記のような問題を鑑みてなされたものであって、吸収性物品の着用者に心地良い温かさを感じさせることを目的とする。
【課題を解決するための手段】
【０００６】
上記目的を達成するための主たる発明は、肌側シート、非肌側シート、及び前記肌側シートと前記非肌側シートとの間に設けられた吸収体を備える吸収性物品であって、着用者が前記吸収性物品を着用してから２０分後に、０．１度以上５．０度以下だけ前記着用者の皮膚表面温度を上昇させる温度上昇材を有することを特徴とする吸収性物品である。  
本発明の他の特徴については、本明細書及び添付図面の記載により明らかにする。
【発明の効果】
【０００７】
本発明によれば、吸収性物品の着用者に心地良い温かさを感じさせることができる。
【図面の簡単な説明】
【０００８】
【図１】生理用ナプキン１を肌側から見た平面図である。
【図２】ナプキン１を非肌側から見た平面図である。
【図３】ナプキン１の前後方向に沿う概略断面図である。
【図４】肌側シート３における温度上昇材３０の配置領域３１，３１１の説明図である。
【図５】前側シート７における温度上昇材３０の配置領域３１，３１２の説明図である。
【図６】ナプキン１における温度上昇材３０の配置領域３１の説明図である。
【図７】ナプキン１の着用者の官能評価を示す表である。
【図８】ナプキン１の肌側面における温度上昇材３０の配置領域３１を示す図である。
【図９】ナプキン１の変形例の説明図である。
【図１０】ナプキン１の変形例の説明図である。
【図１１】ナプキン１の変形例の説明図である。
【図１２】ナプキン１の変形例の説明図である。
【図１３】ナプキン１を包装する包装材１１を外側から見た平面図である。
【図１４】図１４Ａは展開途中のナプキン１の個包装体１０の平面図であり、図１４Ｂは展開前のナプキン１の個包装体１０の平面図である。
【図１５】個包装体のパッケージ６０の斜視図である。
【図１６】パッケージ６０の裏面図である。
【図１７】図１７Ａ及び図１７Ｂは温度上昇部材７０の個包装体７２の説明図である。
【図１８】ナプキン８０の個包装体８２の説明図である。
【発明を実施するための形態】
【０００９】
本明細書及び添付図面の記載により、少なくとも以下の事項が明らかとなる。  
肌側シート、非肌側シート、及び前記肌側シートと前記非肌側シートとの間に設けられた吸収体を備える吸収性物品であって、着用者が前記吸収性物品を着用してから２０分後に、０．１度以上５．０度以下だけ前記着用者の皮膚表面温度を上昇させる温度上昇材を有することを特徴とする吸収性物品。
【００１０】
このような吸収性物品によれば、着用者は、皮膚表面温度が０．１度以上上昇するため、吸収性物品を着用したことによる温かさを感じることができる。また、皮膚表面温度が５．０度よりも高く上昇しないため、着用者が痛みや痒さを感じる恐れが少なく、着用者は心地良い温かさを感じることができる。
【００１１】
かかる吸収性物品であって、着用者が前記吸収性物品を着用してから２０分後に、０．４度以上０．９度以下だけ前記着用者の皮膚表面温度を上昇させる温度上昇材を有することを特徴とする吸収性物品。
【００１２】
このような吸収性物品によれば、より多くの着用者が、吸収性物品を着用したことにより、心地良い温かさを感じることができる。
【００１３】
かかる吸収性物品であって、互いに直交する長手方向、幅方向、及び厚さ方向を備え、前記長手方向において、前記吸収性物品の一端から中央側に１５０ｍｍ離れた位置までの領域の少なくとも一部に、前記温度上昇材が設けられていることを特徴とする吸収性物品。
【００１４】
このような吸収性物品によれば、着用者の下腹部や腰部近傍の臀部に当たる領域に温度上昇材を配置でき、着用者の下腹部や腰部近傍の臀部を温めることができる。
【００１５】
かかる吸収性物品であって、互いに直交する長手方向、幅方向、及び厚さ方向を備え、前記厚さ方向の非肌側にそれぞれウィング粘着部を備えた、前記幅方向の外側に突出する一対のウィング部を有しており、前記ウィング粘着部と前記長手方向について重なる領域、且つ前記吸収体と前記幅方向について重なる領域において、前記幅方向における中央部には、前記温度上昇材が設けられておらず、前記幅方向における端部には、前記温度上昇材が設けられていることを特徴とする吸収性物品。
【００１６】
このような吸収性物品によれば、着用者の股下部を温めつつ、着用者の排泄口を温度上昇材で刺激してしまうことを防止できる。
【００１７】
かかる吸収性物品であって、前記吸収性物品を前記厚さ方向における肌側から見て、前記吸収性物品の前記長手方向の少なくとも一方の端部は、前記温度上昇材が設けられた端部配置領域を有し、前記ウィング粘着部と前記長手方向について重なる領域、且つ前記吸収体と前記幅方向について重なる領域は、前記温度上昇材が設けられた中央配置領域を有し、前記幅方向において、前記端部配置領域の最大長さは、前記中央配置領域の最大長さより長いことを特徴とする吸収性物品。
【００１８】
このような吸収性物品によれば、着用者の身体の形状に合わせて温度上昇材が配置され、
着用者の下腹部や腰部近傍の臀部をより広い範囲に亘り温めることができる。よって、着用者は、吸収性物品を着用したことによる心地良い温かさをより感じやすくなる。
【００１９】
かかる吸収性物品であって、互いに直交する長手方向、幅方向、及び厚さ方向を備え、前記厚さ方向の非肌側にそれぞれウィング粘着部を備えた、前記幅方向の外側に突出する一対のウィング部を有しており、前記吸収性物品を前記厚さ方向における肌側から見て、前記吸収性物品の前記長手方向の少なくとも一方の端部は、前記温度上昇材が設けられた端部配置領域を有し、前記端部配置領域の少なくとも一部の色は、前記ウィング粘着部と前記長手方向について重なる領域且つ前記吸収体と前記幅方向について重なる領域の色と異なることを特徴とする吸収性物品。
【００２０】
このような吸収性物品によれば、着用者は、端部配置領域に着目しやすくなり、吸収性物品の長手方向の端部に温度上昇材が設けられていることを認識しやすくなる。よって、着用者は、吸収性物品を着用したことによる心地良い温かさをより感じやすくなる。
【００２１】
かかる吸収性物品であって、前記吸収性物品を前記厚さ方向における肌側から見て、前記ウィング粘着部と前記長手方向について重なる領域且つ前記吸収体と前記幅方向について重なる領域において、前記幅方向における中央部には、前記温度上昇材が設けられておらず、前記幅方向における端部には、前記温度上昇材が設けられており、前記幅方向における中央部と前記幅方向における端部の色が同じであることを特徴とする吸収性物品。
【００２２】
このような吸収性物品によれば、着用者は、吸収性物品の股下部に温度上昇材が配置されていることを認識し難くなり、股下部が温度上昇材で刺激される不安を着用者に抱かせてしまうことを防止できる。よって、着用者の股下部を温めつつ、着用者に安心感を付与できる。
【００２３】
かかる吸収性物品であって、互いに直交する長手方向、幅方向、及び厚さ方向を備え、前記吸収性物品を前記厚さ方向における肌側から見て、前記吸収性物品の前記長手方向の少なくとも一方の端部は、前記温度上昇材が設けられた端部配置領域を有し、前記端部配置領域には、前記吸収性物品の腹側であることを示す表示又は前記吸収性物品の背側であることを示す表示が設けられていることを特徴とする吸収性物品。
【００２４】
このような吸収性物品によれば、腹側又は背側であることを示す表示を見た着用者は、正しい前後の向きで吸収性物品を着用できる。よって、着用者の身体における目的の部位に温度上昇材を当てて、その目的の部位を温めることができる。
【００２５】
かかる吸収性物品であって、前記肌側シート、前記非肌側シート、及び前記吸収体を備える吸収性物品本体部と、前記温度上昇材を備える温度上昇部と、を有し、前記吸収性物品本体部と温度上昇部とが分離可能であることを特徴とする吸収性物品。
【００２６】
このような吸収性物品によれば、着用者は、身体の所望の部位に温度上昇部を当てて温めることができるので、心地良い温かさをより感じやすくなる。また、温度上昇部は取り付けたままで吸収性物品本体部を交換したり、吸収性物品本体部は取り付けたままで温度上昇部だけを取り外したりすることができる。
【００２７】
かかる吸収性物品であって、互いに直交する長手方向、幅方向、及び厚さ方向を備え、前記吸収性物品の前記長手方向の少なくとも一方の端部は、前記温度上昇材が設けられたシートを有し、前記吸収性物品は、前記シートが配置された領域において、前記シートが前記吸収体と前記厚さ方向に重なる重複領域と、前記シートが前記吸収体と前記厚さ方向に重ならない非重複領域と、を有し、前記非重複領域は、前記重複領域に比べて、前記温度上昇材の坪量が高い領域を有することを特徴とする吸収性物品。
【００２８】
このような吸収性物品によれば、厚みがあり着用者に密着しやすい重複領域において温度上昇材の坪量が高くなり過ぎないため、着用者に痒み等を感じさせてしまうことを防止でき、着用者は心地良い温かさを感じることができる。また、着用者の下腹部や腰部近傍の臀部に当たる重複領域において温度上昇材の坪量が高くなるため、着用者の身体の目的の場所を効率よく温めることができる。
【００２９】
かかる吸収性物品と、前記吸収性物品を包装する包装材と、を備える吸収性物品包装体であって、前記包装材が、前記吸収性物品が前記温度上昇材を備えていることを想起させる想起表示を有することを特徴とする吸収性物品包装体。
【００３０】
このような吸収性物品包装体によれば、着用者は、吸収性物品包装体の展開時に包装材の想起表示を見て、吸収性物品の着用により温かさが得られることを認識しやすくなる。よって、着用者は、吸収性物品を着用したことによる心地良い温かさをより感じやすくなる。
【００３１】
かかる吸収性物品が、包装材で包装された吸収性物品包装体と、前記吸収性物品包装体を収容する袋体と、を有する吸収性物品包装体のパッケージであって、前記袋体は、前記吸収性物品を示す図柄を有し、前記吸収性物品を示す図柄の中に、前記温度上昇材を配置した領域を示す表示を備えることを特徴とする吸収性物品包装体のパッケージ。
【００３２】
このような吸収性物品包装体のパッケージによれば、着用者は、パッケージを見て、吸収性物品を着用することにより温かくなること、及び、温かくなる部位を認識しやすくなる。よって、着用者は、吸収性物品を着用したことによる心地良い温かさをより感じやすくなる。
【００３３】
肌側シート、非肌側シート、及び前記肌側シートと前記非肌側シートとの間に設けられた吸収体を備える吸収性物品と、着用者が前記吸収性物品を着用してから２０分後に、０．１度以上５．０度以下だけ前記着用者の皮膚表面温度を上昇させる温度上昇材を備える温度上昇部材と、を有することを特徴とする吸収性物品と温度上昇部材のセット。
【００３４】
このような吸収性物品と温度上昇部材のセットによれば、着用者は、吸収性物品と共に温度上昇部材を使用したり、吸収性物品のみを使用したり、温度上昇部材のみを使用したりすることができる。
【００３５】
肌側シート、非肌側シート、及び前記肌側シートと前記非肌側シートとの間に設けられた吸収体を備える吸収性物品と共に使用される温度上昇部材であって、着用者が前記吸収性物品を着用してから２０分後に、０．１度以上５．０度以下だけ前記着用者の皮膚表面温度を上昇させる温度上昇材を備えることを特徴とする温度上昇部材。
【００３６】
このような温度上昇部材によれば、着用者は、一般の吸収性物品と共に、温度上昇部材を適宜使用することができる。
【００３７】
以下、本実施形態に係る吸収性物品の一例として、生理用ナプキンを例に挙げて説明する。ただし、吸収性物品は生理用ナプキンに限定されず、他の吸収性物品として、例えば、パンティライナーや失禁パッド、使い捨ておむつ等が挙げられる。
【００３８】
＝＝＝生理用ナプキン１の基本構成＝＝＝
図１は、生理用ナプキン１（以下「ナプキン」と呼ぶ）を肌側から見た平面図である。図２は、ナプキン１を非肌側から見た平面図である。図３は、ナプキン１の前後方向に沿う概略断面図である。
【００３９】
ナプキン１は、互いに直交する長手方向、幅方向、及び厚さ方向を有する。長手方向において着用者の腹側となる側が前側であり、着用者の背側となる側が後側である。厚さ方向において着用者の肌に当接する側が肌側であり、その反対側が非肌側である。また、ナプキン１は、吸収体２、肌側シート３、中間シート４、非肌側シート５、一対のサイドシート６、及び、温度上昇材３０（後述）が配置された前側シート７を有する。
【００４０】
肌側シート３は、吸収体２より肌側に配置された液透過性のシートである。中間シート４は、肌側シート３と吸収体２の間に配置された液透過性のシートである。液透過性のシートとしては、不織布や開孔フィルム等を例示できる。非肌側シート５は、吸収体２（吸収性コア）よりも非肌側に配置された液不透過性のシートである。サイドシート６は、肌側シート３の肌側面の幅方向の両側部から外側に延出したシートである。サイドシート６としては、肌側シート３と同じ柔軟な不織布や疎水性の不織布等を例示できる。
【００４１】
吸収体２は、吸収性コアと、吸収性コアを覆う液透過性のコアラップシートを有する。吸収性コアとしては、パルプ繊維やセルロース系吸収性繊維等の液体吸収性繊維に、高吸収性ポリマー（ＳＡＰ）が加えられ、所定の形状に成形されたもの等を例示できる。なお、吸収体はコアラップシートを有さなくてもよい。
【００４２】
また、ナプキン１は、前後方向において、吸収体２の前端２ａより前側の前方領域１Ａと、前方領域１Ａより後側の後方領域１Ｂとに区画される。前側シート７は、主に前方領域１Ａに配置されている。図１に例示するナプキン１では、前側シート７の後端部が、吸収体２の前端部と重複し、後方領域１Ｂに配置されている。ただし、これに限定されず、前側シート７の後端が、吸収体２の前端２ａと接するか、又は前側に離間していてもよい。
【００４３】
本実施形態の前側シート７は、図２に示すように、３枚のシートが厚さ方向に積層されて構成されている。また、前側シート７は、中間シート４及び吸収体２より非肌側であり、非肌側シート５より肌側に配置されている。ただし上記に限定されず、前側シート７は、１枚のシートで構成されていてもよいし、３枚以外の複数枚のシートが積層されて構成されていてもよい。
【００４４】
ナプキン１の後方領域１Ｂは、概ね一般的な生理用ナプキンの形状であり、前後方向の中央部において、幅方向の外側に突出一対のウィング部１ｗを有する。ウィング部１ｗは、サイドシート６と非肌側シート５によって形成されている。また、後方領域１Ｂにおいて、前後方向の中央やや前方寄りの領域（前後方向におけるウィング部１ｗの中央）が、着用者の排泄口に当接するように想定されている。なお、ナプキンはウィング部を有さなくてもよい。
【００４５】
ナプキン１の前方領域１Ａの形状は特に限定はなく、例えば、三角形や矩形や多角形（角が丸い場合や辺が曲線の場合を含む）、円形や楕円形、生物の形状、又はそれらの組み合わせが挙げられる。本実施形態の前方領域１Ａは、一対のウィング部１ｗを除いた後方領域１Ｂの最大幅よりも大きい幅を有する。また、前方領域１Ａは、その前端部から後端部に向かって幅が狭くなった略三角形の形状である。前側シート７も前方領域１Ａの形状を相似的に縮小した略三角形の形状である。ただし上記に限定されず、前側シート７が例えば矩形形状等であり、前方領域１Ａと異なる形状であってもよい。
【００４６】
ナプキン１は、その非肌側面（つまり非肌側シート５の非肌側面）に、ずれ止め部８が設けられている。ずれ止め部８は、接着剤が塗布された粘着部（物品側粘着部）であり、図２に示すように、中央ずれ止め部８１と、前方ずれ止め部８２と、ウィングずれ止め部８３を有する。
【００４７】
中央ずれ止め部８１は、ナプキン１の本体部を下着の内側面に貼付するためのものであり、ナプキン１の前方から後方にかけて、ナプキン１の幅方向の中央部に設けられている。中央ずれ止め部８１では、前後方向に長辺を有する長方形状の粘着部が幅方向に間隔をあけて８個並んでいる。
【００４８】
前方ずれ止め部８２は、幅広な前方領域１Ａの幅方向の両端部を下着の内側面に貼付するためのものであり、前方領域１Ａの幅方向の両側に一対設けられている。各前方ずれ止め部８２では、前後方向に長辺を有する長方形状の粘着部が幅方向に間隔をあけて３個並んでいる。前方ずれ止め部８２は、中央ずれ止め部８１に比べて前後方向の長さが短い。また、前方ずれ止め部８２は、前後方向において中央ずれ止め部８１と一部が重複しつつ、中央ずれ止め部８１よりも前側に延びて配置されている。
【００４９】
ウィングずれ止め部８３は、下着の外側に折り返されたウィング部１ｗを下着の外側面に貼付するためのものであり、一対のウィング部１ｗにそれぞれ設けられている。各ウィングずれ止め部８３では、前後方向に長辺を有する長方形状の粘着部が幅方向に間隔をあけて３個並んでいる。  
なお、各ずれ止め部８１〜８３の形状や数や配置位置は、図２に例示するものに限定されない。
【００５０】
また、ナプキン１は、ナプキン１が厚さ方向に窪んだ圧搾部２０を有する。圧搾部２０は、前後方向や幅方向に連続して厚さ方向に窪んでいる（溝状の）圧搾部であってもよいし、非連続に厚さ方向に窪んだ点状の圧搾部であってもよい。圧搾部２０によって、吸収体２の型崩れを防止したり、ナプキン１の液拡散性を向上させたりすることができる。本実施形態のナプキン１は、図１に示すように、点状の圧搾部が離散的に配置された圧搾部や、点状の圧搾部が線状に並んで配置された圧搾部や、点状の圧搾部が図柄（例えば熊の目や鼻）を形成するように配置された圧搾部や、文字の形状に圧搾された圧搾部を有する。
【００５１】
圧搾部２０では、周囲に比べてナプキン１の厚さが薄く、ナプキン１の繊維密度が高くなっている。これらの比較は周知の方法で行うとよい。ナプキン１の厚さの比較としては、目視で比較する方法や、ミツトヨ（株）製のダイアルシックネスゲージＩＤ−Ｃ１０１２Ｃ又はそれと同等のものを使用し、対象部位を例えば３．０ｇｆ／ｃｍ２で加圧して測定した値を取得して比較する方法を例示できる。ナプキン１の密度の比較としては、ナプキン１を厚さ方向に切った断面を電子顕微鏡等で拡大した画像に基づき比較する方法を例示できる。
【００５２】
本実施形態では、前方領域１Ａの幅方向の中央部に設けられた圧搾部２０は、肌側シート３及び前側シート７が肌側から圧搾されている。後方領域１Ｂの幅方向の中央部に設けられた圧搾部２０は、肌側シート３から吸収体２まで肌側から圧搾された圧搾部と、吸収体２のみが圧搾された圧搾部（不図示）とする。
【００５３】
＝＝＝温度上昇材３０を有するナプキン１＝＝＝
図４は、肌側シート３における温度上昇材３０の配置領域３１，３１１の説明図である。図５は、前側シート７における温度上昇材３０の配置領域３１，３１２の説明図である。図６は、ナプキン１における温度上昇材３０の配置領域３１の説明図である。つまり、図６は、肌側シート３の配置領域３１１と、前側シート７の配置領域３１２を合わせた領域を示す。図７は、ナプキン１の着用者の官能評価を示す表である。図８は、ナプキン１の肌側面における温度上昇材３０の配置領域３１を示す図である。図９から図１２は、ナプキン１の変形例の説明図である。
【００５４】
本実施形態のナプキン１は、前方領域１Ａを有し、一般的なナプキン１の形状に比べて前側に長く幅広い形状となっている。ナプキン１の排泄口当接領域が着用者の排泄口に対応するようにナプキン１が装着されると、ナプキン１の前方領域１Ａが着用者の下腹部に対応する。着用者の下腹部が前方領域１Ａで覆われるため、前方領域１Ａを有さないナプキン１に比べて、着用者の下腹部を温めることができる。
【００５５】
さらに、本実施形態のナプキン１は、着用者の皮膚表面温度を上昇させる「温度上昇材３０」を有する。温度上昇材３０が配置された領域を「配置領域３１」と呼ぶ。図２に示すように、温度上昇材３０は、肌側シート３の非肌側面と、最も肌側に位置する前側シート７ａの肌側面に配置されている。ただし、これに限定されず、温度上昇材３０は、ナプキン１を構成する資材の何れか（例えば吸収体２や中間シート４等）に配置されていればよい。また、肌側シート３及び前側シート７は、温度上昇材３０を保持可能なシートであれば特に制限されず、不織布等が挙げられる。
【００５６】
温度上昇材３０の配置は、噴霧法やローラーコート法、刷毛塗り法等の各種公知の塗布方法で行ったり、シートを浸漬したりする方法や、粒子状の剤をシートの繊維に混在させる方法等が挙げられる。また、温度上昇材３０の配置領域３１には、その全域に温度上昇材３０が配置（べた塗り）されていてもよいし、ストライプパターンやスパイラルパターン等の各種公知のパターンで温度上昇材３０が配置されていてもよい。
【００５７】
温度上昇材３０としては、例えば、ＴＲＰチャネル（温度受容器（温熱知覚受容器））を活性化する温感成分と、溶媒成分とを含むものを例示できる。ナプキン１に温度上昇材
３０が配置されていることで、ナプキン１の着用者のＴＲＰチャネルが刺激される。その結果、交感神経系を介して、温度上昇材３０の接触部分から熱が生じ、温度上昇材３０の接触部分における皮膚表面温度を上昇させることが期待できる。
【００５８】
本実施形態では、図２に示すように、着用者の肌と直接接触する場所に温度上昇材３０が配置されていない。しかし、着用時に温度上昇材３０が溶出したり揮発したりすることで、着用者の肌に到達する。着用者の肌に到達した温感成分が、着用者のＴＲＰチャネルを活性化し、その場所に温感が付与される。
【００５９】
温度上昇材３０の温感成分としては、ＴＲＰチャネルを活性化するものであれば、特に制限されず、液体状であっても、固体状（ペースト状、粉体状等を含む）であってもよい。また、温感成分は、着用者の安心感の観点から、植物由来の化合物であることが好ましい。温感刺激剤としては、例えば、カプシコシド、カプサイシン（ＬＤ５０：４７ｍｇ／ｋｇ，分子量：３０５）、カプサイシノイド類（ジヒドロカプサイシン、ノルジヒドロカプサイシン、ホモジヒドロカプサイシン、ホモカプサイシン、ノニバミド等）、カプサンチン、ニコチン酸ベンジル（ＬＤ５０：２，１８８ｍｇ／ｋｇ，分子量：２１３）、ニコチン酸β−ブトキシエチル、Ｎ−アシルワニルアミド、ノナン酸バニリルアミド、多価アルコール、唐辛子末、唐辛子チンキ、唐辛子エキス、ノナン酸バニリルエーテル、バニリルアルコールアルキルエーテル誘導体（例えば、バニリルエチルエーテル、バニリルブチルエーテル（ＬＤ５０：４，９００ｍｇ／ｋｇ，分子量：２１０）、バニリルペンチルエーテル、バニリルヘキシルエーテル）、イソバニリルアルコールアルキルエーテル、エチルバニリルアルコールアルキルエーテル、ベラトリアルアルコール誘導体、置換ベンジルアルコール誘導体、置換ベンジルアルコールアルキルエーテル、バニリンプロピレングリコールアセタール、エチルバニリンプロピレングリコールアセタール、ショウガエキス、ジンジャーオイル、ジンゲロール（ＬＤ５０：２５０ｍｇ／ｋｇ，分子量：２９４）、ジンゲロン、ヘスペリジン、及びピロリドンカルボン酸、並びにそれらの任意の組み合わせが挙げられる。
【００６０】
溶媒成分としては、温感成分を含むことができるものであれば、特に限定されず、例えば、親油性溶媒及び親水性溶媒が挙げられる。このような溶媒成分は、温感成分を溶解、分散等することができる。親油性溶媒としては、油脂、例えば、天然油（例えば、トリグリセリド等の脂肪酸エステル、ヤシ油、アマニ油、トリ（カプリル／カプリン酸）グリセリル等）、炭化水素（例えば、パラフィン、例えば、流動パラフィン）等が挙げられる。親水性溶媒は、水及びアルコールが挙げられる。上記アルコールとしては、メタノール、エタノール、エチレングリコール、グリセリン等の低級アルコール、カプリルアルコール、ラウリルアルコール、ミリスチルアルコール等の高級アルコール等が挙げられる。それらの中でも、溶媒成分としては、揮発性を制御しやすい、特に揮発性を下げやすい観点からは、油脂（親油性溶媒）又はアルコール（親水性溶媒）が好ましい。また、ナプキン１では、吸収性を阻害しにくい観点から、上記溶媒成分は親油性溶媒であることが好ましい。
【００６１】
上記のような温度上昇材３０では、温感成分自体が発熱する発熱剤とは異なるため、低温やけどを起こし難い。また、ナプキン１を下着に貼付するためのずれ止め部８が軟化し難いので、ナプキン１を下着から取り外す際にずれ止め部８が下着に残り難く、好ましい。
【００６２】
しかし、上記に限定されず、温感成分自体が発熱する温度上昇材３０であってもよい。例えば、空気との接触により発熱する被酸化性金属を含む温度上昇材３０であってもよい。被酸化性金属としては、例えば、鉄、アルミニウム、亜鉛、マンガン、マグネシウム、カルシウム、及び、トルマリンやコーディエライト等の鉱物から選ばれる１種又は２種以上の粉末や繊維が挙げられる。発熱温度や発熱時間の持続のために、温度上昇材３０は、被酸化性金属に加えて、活性炭、保水剤、食塩、水等を含むとよい。
【００６３】
肌側シート３における温度上昇材３０の配置領域３１１は、図４に示すように、一対の前側配置領域３１１Ａと、一対の前側配置領域３１１Ａよりも長手方向の後側に間隔をあけて配置された一対の後側配置領域３１１Ｂを有する。一対の前側配置領域３１１Ａと一対の後側配置領域３１１Ｂでは、それぞれ、ナプキン１の幅方向の中央部（幅２０ｍｍ程度）の両側に、長手方向に沿った帯状の配置領域が並んでいる。また、一対の前側配置領域３１１Ａは、吸収体２よりも前側であり、前側シート７と厚さ方向に重なる領域に配置されている。一対の後側配置領域３１１Ｂは、前側シート７よりも後側であり、吸収体２と厚さ方向に重なる領域に配置されている。
【００６４】
前側シート７は、図５に示すように、その全域に亘り温度上昇材３０が配置されている。つまり、前側シート７の全域が温度上昇材３０の配置領域３１２となっている。
【００６５】
上記のように、本実施形態のナプキン１では、着用者の股下部から下腹部に当たる領域に温度上昇材３０が設けられている。そのため、着用者の股下部から下腹部にかけての範囲が温められる。着用者の下腹部、すなわち着用者の子宮に近い部分が温められることによって、着用者の生理痛を緩和したり、月経前症候群や冷え性、更年期障害などの症状を軽減したりすることが期待される。
【００６６】
また、本実施形態のナプキン１は、着用者がナプキン１を着用してから２０分後に、０．１度以上５．０度以下だけ着用者の皮膚表面温度を上昇させる温度上昇材３０を有するとした。
【００６７】
皮膚表面温度の上昇が０．１度未満であると、着用者はナプキン１を着用したことによる温かさを感じ難い。一方、皮膚表面温度の上昇が５．０度よりも高いと、皮膚表面温度の過度な上昇により、着用者が痛みや痒さを感じる恐れがある。使い捨てカイロ等では、貼付時の皮膚表面温度が３８〜４２度になるように設定されていることがあり、皮膚表面温度が４２度以下であれば低温やけどの恐れが少ないとされている。そのため、ナプキン１の着用前の皮膚表面温度から上昇する温度が５．０度以下であれば、皮膚表面温度は４２度以下を保たれ、低温やけどを防止できる。よって、皮膚表面温度を０．１度以上５．０度以下だけ上昇させる温度上昇材３０をナプキン１に配置することで、着用者は、心地良い温かさを感じることができる。
【００６８】
なお、着用者の皮膚表面温度とは、ナプキン１を着用したことにより影響を受ける皮膚の位置の表面温度とする。具体的には、着用者の上下方向において、へその位置から股下部までの範囲に位置する皮膚の表面温度とする。
【００６９】
例えば、本実施形態のように、着用者の下腹部を温めることを目的としたナプキン１の場合、着用者の腹側面のうち、へそから下方に１０ｍｍ〜１２ｍｍ下がった位置であり、着用者の幅方向の中心位置における皮膚の表面温度とすることが好ましい。本実施形態では、ナプキン１が適切な位置で装着された状態において、ナプキン１の前方領域１Ａの最大幅となる上下方向の位置であり、幅方向の中心である位置ｐ１（図６参照）が当たる皮膚の表面温度とした。
【００７０】
また、例えば、着用者の腰部近傍を温めることを目的とした変形例のナプキン１（図９）の場合、着用者の背面のうち、腹側のへその位置と対応する上下方向の位置であり、着用者の幅方向の中心位置における皮膚の表面温度とすることが好ましい。
【００７１】
また、着用者の皮膚表面温度を上昇させる場合には、温度上昇材３０における温感成分の濃度を高くしたり、温度上昇材３０の坪量（単位面積当たりの質量：ｇ／ｍ２）を高くしたり、温度上昇材３０の配置面積３１を大きくしたりするとよい。逆に、着用者の皮膚表面温度を下降させる場合には、温度上昇材３０の濃度を低くしたり、温度上昇材３０の坪量を低くしたり、温度上昇材３０の配置面積３１を小さくしたりするとよい。また、温度上昇材３０の種類を変えることで、着用者の皮膚表面温度を調整してもよい。
【００７２】
具体的には、温度上昇材３０の温感成分の濃度は、好ましくは１〜７０質量％、より好ましくは１０〜６０質量％、さらに好ましくは２０〜５５質量％であるとよい。また、ナプキン１における、温度上昇材３０の温感成分の坪量は、好ましくは０．００１〜４０ｇ／ｍ２であり、より好ましくは０．１〜３０ｇ／ｍ２であり、さらに好ましくは１〜２０ｇ／ｍ２であるとよい。
【００７３】
着用者の皮膚表面温度の測定方法は、以下に示す方法で行う。  
まず、測定対象者に温度センサを取り付ける。本実施形態では、前述のように、へそから真っ直ぐ下方に１０ｍｍ〜１２ｍｍ下がった位置に、温度センサを取り付ける。温度センサは、安立計器株式会社製のテープ型温度センサ（コンパクトサーモロガー）、又はそれと同等のものを使用して行うとよい。  
次に、測定対象者は、ナプキン１を着用しない状態で、室温２４℃、湿度５５％に保たれた部屋において、椅子に座った状態で１０分間安静にする。その後、ナプキン１を着用する前の測定対象者の皮膚表面温度を測定する。  
次に、測定対象者は、ナプキン１を着用し、再び椅子に座った状態で２０分間安静にする。ナプキン１を着用してから２０分経過した後に、再び、測定対象者の皮膚表面温度を測定する。こうして得られた測定値の差が、着用者がナプキン１を着用してから２０分後に皮膚表面温度が上昇した温度である。
【００７４】
また、ナプキン１の温かさに関する官能試験を実施した。被験者に実際にナプキン１を着用してもらい、上記の測定方法に従って、ナプキン１の着用前の皮膚表面温度と、ナプキン１を着用してから２０分後の皮膚表面温度を測定した。そして、ナプキン１を着用してから２０分後の着け心地について、被験者に評価してもらった。ナプキン１の着用による温かさについて、１強い、２ちょうど良い、３弱い、４感じない、の４段階で評価してもらった。
【００７５】
対象のナプキン１は、肌側シート３の非肌側面、及び、前側シート７の肌側面に温度上昇材３０が配置されたものとする。また、温度上昇材３０として、温感成分がバニリルブチルエーテルであり、溶媒成分がトリ（カプリル・カプリン酸）グリセリルであるものを使用した。また、肌側シート３における温度上昇材３０の坪量は３ｇ／ｍ２とし、前側シート７における温度上昇材３０の坪量は１４ｇ／ｍ２とした。被験者は、２０歳〜４５歳の女性６名であり、ＢＭＩ値が２５未満であり、肥満体型ではない女性とした。
【００７６】
その結果を図７に示す。表の結果より、温度上昇材３０を有するナプキン１を着用することで、２０分後に着用者の皮膚表面温度が上昇することが分かった。具体的には、０．４℃〜１．１℃の範囲で皮膚表面温度が上昇した。
【００７７】
上昇温度が０．４度〜０．７度であった被験者は、ナプキン１の着用による温かさが、ちょうど良いと感じることが分かった。皮膚表面温度が上昇したことで、生理痛に効きそうと感じる被験者もいた。また、上昇温度が０．８度であった被験者は、ちょうど良いから強いに感じ始めたのに対して、上昇温度が０．９度であっても、ちょうど良いと感じる被験者もいることが分かった。一方、上昇温度が１．１度であった被験者は、温かさが強く、痒みを感じていた。
【００７８】
そこで、ナプキン１は、着用者がナプキン１を着用してから２０分後に、０．４度以上０．９度以下だけ着用者の皮膚表面温度を上昇させる温度上昇材３０を有することが好ましい。そうすることで、より多くの着用者が、ナプキン１を着用したことにより心地良い温かさを感じることができる。また、皮膚表面温度の過度な上昇により、着用者が痛みや痒さを感じてしまうことを、より確実に防止できる。
【００７９】
また、図８に示すように、ナプキン１を厚さ方向に見て、温度上昇材３０の配置領域３１と重なる領域に圧搾部２０を設けるとよい。圧搾部２０では、肌側シート３の厚さが薄くなるため、肌側シート３の非肌側面や前側シート７に設けられた温度上昇材３０が着用者に伝達しやすくなり、効率よく着用者を温めることができる。また、温度上昇材３０を有するナプキン１の着用者は汗をかく場合がある。圧搾部２０ではナプキン１の肌側面が厚さ方向に凹むため、空気が通りやすくなる。よって、着用者の汗や排泄液による蒸れを抑制でき、ナプキン１の着け心地を向上させることができる。
【００８０】
また、非肌側シート５を通気性のある液不透過性シートにするとよい。例えば、多孔質プラスチックシート（ポリエチレンシート等）や、疎水性樹脂を塗工する等した不織布（ＳＭＳ不織布等）を例示できる。そうすることで、着用者の汗や排泄液による蒸れを抑制でき、ナプキン１の着け心地を向上させることができる。一方で、非肌側シート５を合成樹脂フィルムのような非通気性のシートにすることで、温度上昇材３０の効果で温められた空気が散逸し難くなり、効率よく着用者を温めることができる。
【００８１】
また、綿繊維は吸水性が良い。そのため、肌側シート３は、綿繊維を含む不織布等のシートにするとよい。好ましくは綿繊維を７０％以上含むシートにするとよい。そうすることで、着用者の汗や排泄液が吸収されやすく、ナプキン１の肌側面がべたつき難くなる。よって、ナプキン１の着け心地を向上させることができる。また、ナプキン１の肌側面がべたつかずに、さらっとしていることで、着用者は温度上昇材３０による温かさを感じやすくなる。肌側シート３における綿繊維の比率の確認は、周知の方法で行うことができ、例えば、硫酸を用いて綿繊維を溶解する溶解法や、顕微鏡法により確認できる。
【００８２】
また、上記のように綿繊維を含む肌側シート３を使用したり、肌側シート３と吸収体２の間に中間シート４を設けたりする等して、汗や排泄液のリウェット率を比較的に小さくするとよい。好ましくはリウェット率を５０％以下にするとよい。そうすることで、ナプキン１の肌側面がべたつき難くなる。そのため、ナプキン１の着け心地を向上させることができ、また、着用者は温度上昇材３０による温かさを感じやすくなる。
【００８３】
リウェット率は以下の方法で測定できる。  
まず、ナプキン１の上に、穴の開いたアクリル板（２００ｍｍ×１００ｍｍ，１２５ｇ，中央に４０ｍｍ×１０ｍｍの穴が開いている）を置き、上記穴から、３７±１℃のウマＥＤＴＡ血（ウマの血液に、凝結防止のため、エチレンジアミン四酢酸が添加されたもの）３ｇを、ピペットを用いて滴下（１回目）する。１分後、３７±１℃のウマＥＤＴＡ血３ｇを、アクリル板の穴から、ピペットで再度滴下する（２回目）。  
２回目の血液の滴下後、直ちに上記アクリル板を外し、血液を滴下した場所に、ろ紙（アドバンテック東洋株式会社  定性濾紙  Ｎｏ．２，５０ｍｍ×３５ｍｍ）１０枚を置き、その上から、圧力が３０ｇ／ｃｍ2となるようにおもりを置く。１分後、上記ろ紙を取り外し、以下の式に従って、「リウェット率」を算出する。  
リウェット率（％）＝１００×（試験後のろ紙質量−試験前のろ紙質量）／６（ｇ）
【００８４】
また、本実施形態のように、着用者の下腹部を覆る程に前方に延びたナプキン１の場合、図６に示すように、長手方向において、ナプキン１の前端１ａ１から中央側に１５０ｍｍ離れた位置までの領域３４の少なくとも一部に、温度上昇材３０が設けられているとよい。より好ましくは、長手方向において、ナプキン１の前端１ａ１から中央側に１００ｍｍ離れた位置までの領域３５の少なくとも一部に、温度上昇材３０が設けられているとよい。そうすることで、着用者の下腹部に当たるナプキン１の領域に温度上昇材３０を配置でき、着用者の下腹部を温めることができる。
【００８５】
また、図９に示す変形例のナプキン１は、ナプキン１の後方に長く幅広い形状となっている。そして、着用者の股下部から腰部近傍の臀部までに当たる領域に温度上昇材３０が設けられている。具体的には、ナプキン１の後方には、肌側シート３と非肌側シート５の間に後側シート９が設けられ、後側シート９に温度上昇材３０が設けられている。また、肌側シート３の長手方向の中央部と後方に温度上昇材３０が配置されている。そのため、着用者の股下部から腰部近傍の臀部にかけての範囲が温められ、着用者の腰痛を緩和することが期待される。
【００８６】
図９に示す変形例のナプキン１では、着用者の腰部近傍の臀部を覆る程に後方に延びている。この場合、長手方向において、ナプキン１の後端１ａ２から中央側に１５０ｍｍ離れた位置までの領域３４の少なくとも一部に、より好ましくは、ナプキン１の後端１ａ２から中央側に１００ｍｍ離れた位置までの領域３５の少なくとも一部に、温度上昇材３０が設けられているとよい。そうすることで、着用者の腰部近傍の臀部に当たるナプキン１の領域に温度上昇材３０を配置でき、着用者の腰部近傍を温めることができる。
【００８７】
しかし、ナプキン１は温度上昇材３０を有していればよく、温度上昇材３０の配置領域３１は、図６や図９に例示する大きさや形状や配置位置に限定されない。例えば、上記の範囲（ナプキン１の一端から１００ｍｍ〜１５０ｍｍ離れた位置までの領域３４，３５）に温度上昇材３０が配置されていなくてもよい。また、ナプキン１の長手方向の両側の端部に温度上昇材３０が配置されていてもよい。また、ナプキン１の長手方向の中央部にのみ温度上昇材３０が配置されていてもよい。また、ナプキン１の肌側面がべたついていない方が、着用者は温度上昇材３０による温かさを感じやすくなるため、ナプキン１を厚さ方向に見て吸収体２と重ならない領域に温度上昇材３０を配置してもよい。
【００８８】
また、温度上昇材３０の配置領域３１の特定方法としては、例えば、コールドスプレー等を用いて、厚さ方向に積層されたナプキン１の資材を分解し、各資材に竹炭やココアパウダーなどの有色の細かい粒子を撒いた後に、粒子を払う方法がある。温度上昇材３０が配置された部分には粒子が多く付着するため、温度上昇材３０の配置領域３１を特定できる。
【００８９】
その他、ナプキン１から長手方向及び幅方向に所定のサイズで細かく多数のサンプルを切り出し、官能試験を行ってもよい。例えば検査者の二の腕に切り出したサンプルを当て、その上にＰＥシート等の気密性の高いシートを重ねる。検査者は、サンプルの温感効果を感じるまでの時間を計測して記録する。サンプルごとの計測時間を比較し、計測時間が短いサンプルを切り出したナプキン１の位置を、温度上昇材３０の配置領域３１として特定できる。
【００９０】
また、本実施形態のナプキン１の長手方向の前側の端部は、温度上昇材３０が設けられた前側シート７（シート）を有する。前側シート７の後端部は吸収体２と厚さ方向に重なっている。そのため、ナプキン１は、図６に示すように、前側シート７が配置された領域において、前側シート７が吸収体２と厚さ方向に重なる重複領域１０１と、前側シート７が吸収体２と厚さ方向に重ならない非重複領域１０２と、を有する。また、前述の図４にて説明したように、肌側シート３における温度上昇材３０の配置領域３１１は、吸収体２よりも前側であり、前側シート７と厚さ方向に重なる一対の前側配置領域３１１Ａと、前側シート７よりも後側であり、吸収体２と厚さ方向に重なる一対の後側配置領域３１１Ｂである。また、図５に示すように、前側シート７の全域に温度上昇材３０が配置されている。
【００９１】
肌側シート３では、重複領域１０１を避けた領域に温度上昇材３０が配置されている。そのため、重複領域１０１には、前側シート７に塗布された温度上昇材３０のみが配置される。一方、非重複領域１０２は、前側シート７に塗布された温度上昇材３０と、肌側シート３に塗布された温度上昇材３０とが重ねて配置される領域（前側配置領域３１１Ａが位置する領域）を有する。つまり、非重複領域１０２は、重複領域１０１に比べて、温度上昇材３０の坪量（ｇ／ｍ２）が高い領域を有する。
【００９２】
前側シート７と吸収体２が重なり厚みのある重複領域１０１は、厚みの薄い非重複領域１０２に比べて、着用者の肌に密着しやすい。そのため、重複領域１０１には、温度上昇材３０の坪量が高くなる領域を設けないことが好ましい。そうすることで、着用者の肌を局所的に温めて、かゆみ等を生じさせてしまうことを防止でき、着用者に心地良い温かさを付与できる。特に、肌側シート３は前側シート７よりも着用者の肌に近いため、重複領域１０１に対応する肌側シート３の部分に温度上昇材３０を配置しないことで、着用者の肌を刺激し過ぎてしまうことを防止できる。一方、吸収体２よりも前側の下腹部に近い非重複領域１０２には、温度上昇材３０の坪量が高くなる領域を設けるとよい。そうすることで、着用者の下腹部を効率的に温めることができる。
【００９３】
図９に示す変形例のナプキン１の場合、肌側シート３のうち、後側シート９（シート）が吸収体２と厚さ方向に重なる重複領域を避けた領域に、温度上昇材３０を配置することで、着用者にかゆみ等を生じさせてしまうことを防止できる。また、肌側シート３のうち、吸収体２よりも後側であり、後側シート９と重なる領域に温度上昇材３０を配置することで、着用者の腰部近傍の臀部を効率的に温めることができる。
【００９４】
重複領域１０１と非重複領域１０２の温度上昇材３０の坪量を比較するには、温度上昇材３０の配置領域３１を特定するときと同様に官能試験行うとよい。ナプキン１の重複領域１０１と非重複領域１０２からそれぞれ所定のサイズの細かいサンプルを切り出して、検査者の二の腕等にサンプルを当て、サンプルの温感効果を感じるまでの時間を計測する。非重複領域１０２から切り出したサンプルの計測時間が、重複領域１０１から切り出したサンプルの計測時間よりも短ければ、非重複領域１０２は温度上昇材２０の坪量が高い領域を有することが分かる。
【００９５】
また、本実施形態のように一対のウィング部１ｗを有するナプキン１において、図６に示すように、ウィング粘着部８３と長手方向について重なる領域、且つ吸収体２と幅方向について重なる領域（点ａｂｃｄで囲われた領域）を、ナプキン１の中央領域１Ｃとする。この中央領域１Ｃは、下着のクロッチ部に固定され、着用者の排泄口及びその近傍が当接するように想定された領域である。
【００９６】
そこで、ナプキン１の中央領域１Ｃにおいて、幅方向における中央部には、温度上昇材３０が設けられておらず、幅方向における端部には、温度上昇材３０が設けられていることが好ましい。
【００９７】
そうすることで、着用者の股下部に心地良い温かさを付与しつつ、生理中で敏感になっている排泄口（膣口）を温度上昇材３０で刺激して着用者に痛みを付与してしまうことを防止できる。また、中央領域１Ｃの幅方向における中央部に温度上昇材３０が設けられていないことで、温度上昇材３０により排泄液の吸収が阻害されてしまうことを防止でき、ナプキン１の吸収性能を確保できる。
【００９８】
また、本実施形態のナプキン１（図６，図８）、及び、図９に示す変形例のナプキン１は、ナプキン１を厚さ方向における肌側から見て、端部配置領域３２、及び、中央配置領域３３を有する。端部配置領域３２は、ナプキン１の長手方向の一方側の端部において、温度上昇材３０が設けられた領域である。具体的には、長手方向において吸収体２の端２ａよりも外側の領域において温度上昇材３０が設けられた領域を端部配置領域３２とする。中央配置領域３３は、ナプキン１の中央領域１Ｃ（点ａｂｃｄで囲われた領域）において、温度上昇材３０が設けられた領域である。そのため、ナプキン１は、着用者の股下部から下腹部にかけて心地良い温かさを付与したり、着用者の股下部から腰部近傍の臀部にかけて心地良い温かさを付与したりすることができる。
【００９９】
ただし、上記に限定されず、ナプキン１は中央配置領域３３を有さなくてもよいし、中央配置領域３３の長手方向の長さが短くてもよい。つまり、長手方向において、ウィング粘着部８３よりも前側（又は後側）にのみ温度上昇材３０が配置されていてもよいし、長手方向においてウィング粘着部８３の一部と重なる領域に温度上昇材３０が配置されていてもよい。
【０１００】
さらに、ナプキン１の幅方向において、端部配置領域３２の最大長さＷ１は、中央配置領域３３の最大長さＷ２よりも長いことが好ましい。そうすることで、幅方向のより広い範囲に亘り下腹部や腰部近傍の臀部を温めることができる。また、下腹部や腰部近傍の臀部は股下部に比べて面積が広い。そのため、身体の形状に合わせて端部配置領域３２の幅を長くすることで、より効果的に、心地良い温かさを着用者に付与できる。
【０１０１】
なお、中央配置領域３３のように、帯状の配置領域が幅方向に間隔を空けて配置されている場合がある。この場合、ナプキン１の中央領域１Ｃにおいて、幅方向の最も一方側及び最も他方側に温度上昇材３０が配置された位置３３ａ，３３ｂの間隔を最大幅とする。同様に、長手方向における吸収体２の端２ａよりも外側の領域において、幅方向の最も一方側及び最も他方側に温度上昇材３０が配置された位置３２ａ，３２ｂの間隔を最大幅とする。
【０１０２】
また、本実施形態では、温度上昇材３０が配置された前側シート７の色が、ナプキン１を構成する他の資材（肌側シート３や中間シート４や吸収体２等）と異なる色とする。前側シート７の色は肌側シート３を介して、ナプキン１の肌面側から視認可能とする。そのため、ナプキン１を厚さ方向の肌側から見て（図８）、前側シート７が配置されている端部配置領域３２の色は、ナプキン１の中央領域１Ｃの色と異なる。
【０１０３】
このように、端部配置領域３２の少なくとも一部の色が中央領域１Ｃの色と異なれば、端部配置領域３２は目立ち、着用者は端部配置領域３２に着目しやすくなる。そのため、着用者は、ナプキン１の長手方向の端部に温度上昇材３０が設けられていることを認識しやすくなる。具体的には、ナプキン１を構成する主な資材の色が白色であるのに対して、前側シート７は温かさを表す暖色系の色（ピンク色、赤色、オレンジ色、黄色等）に着色されているとよい。そうすることで、着用者はナプキン１の温感機能を認識しやすくなる。ただし前側シート７の色は暖色系の色に限定されないものとする。
【０１０４】
また、端部配置領域３２と中央領域１Ｃの色が異なるとは、ユーザーがナプキン１を肌側から視認した際に、端部配置領域３２を識別できる程に色差があればよい。具体的には、コニカミノルタ社製の色彩色差計ＣＲ−３００又はそれと同等のものを使用して測定した場合の色差が１３以上であったり、オストワルト色相環によって分類された２４色の色票で２以上ずれていたりすることが好ましい。
【０１０５】
一方、本実施形態のナプキン１では、中央領域１Ｃにも温度上昇材３０が設けられているが、温度上昇材３０が設けられていない幅方向における中央部の色と、温度上昇材が設けられている幅方向における端部（中央配置領域３３）の色が、同じとなっている。
【０１０６】
そうすることで、着用者は、ナプキン１の中央領域１Ｃに温度上昇材３０が配置されていることを認識し難くなる。そのため、生理中で敏感になっている股下部が温度上昇材３０で刺激される不安を着用者に抱かせてしまうことを防止できる。よって、着用者の股下部を温めつつ、着用者に安心感を付与できる。
【０１０７】
ただし、上記に限定されず、例えば、端部配置領域３２の色が中央領域１Ｃと同じ色であってもよいし、温度上昇材３０の配置領域３１の全域を周囲と異なる色にしてもよい。また、前側シート７を着色されたシートにするのではなく、端部配置領域３２に位置する他の資材（例えば肌側シート３）を着色してもよい。
【０１０８】
また、ナプキン１を厚さ方向における肌側から見て、温度上昇材３０が設けられた端部配置領域３２には、ナプキン１の前後方向を示す表示が設けられていることが好ましい。そうすることで、正しい前後の向きでナプキン１が装着され、着用者の身体の目的の部位を温度上昇材３０で温めることができる。
【０１０９】
本実施形態のナプキン１の場合、前側の端部配置領域３２に、ナプキン１の腹側であることを示す表示が設けられているとよい。図８では、ナプキン１の腹側であることを示す表示として、上下方向を有する熊の図柄４０が端部配置領域３２に設けられている。なお、熊の図柄４０の少なくとも一部が端部配置領域３２に設けられていればよい。熊の図柄４０の上下方向がナプキン１の前後方向に沿い、熊の図柄４０の頭側（上側）がナプキン１の前側（腹側）に対応している。そのため、ナプキン１の着用時に熊の図柄４０を見た着用者は、熊の図柄４０が配置されている側が腹側であることを認識でき、前側の端部配置領域３２が自身の腹側に位置するように、ナプキン１を着用できる。よって、端部配置領域３２の温度上昇材３０により着用者の下腹部を温めることができる。
【０１１０】
また、図９に示す変形例のナプキン１の場合、後側の端部配置領域３２に、ナプキン１の背側であることを示す表示が設けられているとよい。図９では、ナプキン１の背側であることを示す表示として、熊の脚（肉球）の図柄４１と、「ｂａｃｋ」という文字４２が設けられている。これらを見た着用者は、これらが配置されている側が背側であることを認識でき、後側の端部配置領域３２が自身の背側に位置するように、ナプキン１を着用できる。よって、端部配置領域３２の温度上昇材３０により着用者の腰部近傍の臀部を温めることができる。
【０１１１】
上記の表示４０〜４２は、圧搾部２０によって形成されたものであるが、印刷によって形成されていてもよい。また、腹側又は背側であることを示す表示は、ナプキン１の長手方向の前後を示すことのできる表示であればよく、上下方向を有する図柄（例えば動物や植物や乗り物等）や、文字、数字、上下方向を有する記号、及びこれらの組み合わせ等であってもよい。また、腹側又は背側であることを示す表示の上下方向は、ナプキン１の長手方向に沿って平行であるに限らず、ナプキン１の長手方向に対して９０度未満で傾いていてもよい。
【０１１２】
また、本実施形態のナプキン１には、端部配置領域３２以外の領域にも、ナプキン１の前後を示す表示が設けられている。例えば、図８に示すナプキンは、圧搾部２０によって形成された「ＨＯＴ」という文字４３や熊の脚の図柄４４である。このように複数の表示４０〜４４がナプキン１の前後を示すことで、着用者はナプキン１の前後を認識しやすく、正しい前後の向きでナプキンが装着されやすくなる。
【０１１３】
また、図１０に示す変形例のナプキン１のように、吸収性能を有する本体部５０（吸収性物品本体部）と、温度上昇材３０を備える温度上昇部５１を有し、本体部５０と温度上昇部５１とが分離可能なナプキン１であってもよい。本体部５０は、少なくとも肌側シート３と非肌側シート５と吸収体２を備えるものとする。温度上昇部５１は、少なくとも温度上昇材３０が配置されたシートを備えるものとする。温度上昇部５１としては、図１に示すナプキン１の前方領域１Ａのように、肌側シート３と非肌側シート５の間に、温度上昇材３０が配置された前側シート７が設けられたものを例示できる。また、本体部５０と温度上昇部５１の分離後に吸収体２や前側シート７が露出しないように、各部５０，５１の外周縁５０ａ，５１ａを溶着等で封止するとよい。また、本体部１０にも温度上昇材３０が配置されていてもよい。
【０１１４】
本体部５０と温度上昇部５１は幅方向に沿う切り取り線５２で接合された状態で、着用者に提供される。そうすることで、個包装体からナプキン１を取り出した着用者は、本体部５０と温度上昇部５１を容易に分離でき、本体部５０から離れた身体の部位に温度上昇部５１を貼付することができる。温度上昇部５１は、非肌側面に設けられたずれ止め部（不図示）にて、着用者の下着に固定してもよいし、服に固定してもよい。また、本体部５０と温度上昇部５１を分離せずに使用することもできる。そのため、着用者は、自身の身体の所望の部位に温度上昇部５１を当てて温めることができ、より心地良い温かさを感じることができる。
【０１１５】
また、着用者は、温度上昇部５１は取り付けたままで、本体部５０だけを取り外し、別のナプキンを着用することができる。そのため、着用者は清潔なナプキンを使用することができる。逆に、着用者は、本体部５０は取り付けたままで、温度上昇部５１だけを取り外すこともできる。そのため、温度上昇部５１によって過度な温かさを着用者に付与してしまうことを防止できる。
【０１１６】
また、図１０に示すナプキン１では、本体部５０に対して、温度上昇部５１が長手方向の前側にずれて配置されているがこれに限らず、温度上昇部５１が長手方向の後側や幅方向の外側にずれて配置されていてもよい。また、温度上昇部５１が本体部５０上に厚さ方向に重なって配置されていてもよい。その場合、本体部５０と温度上昇部５１の分離時に、本体部５０の肌側シート３が破損しないようにする。例えば、温度上昇部５１の非肌側面に面ファスナーの雄材を設けるとよい。また、温度上昇部５１の非肌側面のずれ止め部（接着剤）を剥離可能な資材を、本体部５０の肌側面のうち吸収性能に影響しない部位に設けてもよい。
【０１１７】
図１１は、ショーツ型のナプキン１の斜視図である。図１２Ａは、展開且つ伸長状態であるショーツ型のナプキン１の概略平面図である。図１２Ｂは、ショーツ型のナプキン１の概略断面図である。ここまで下着に貼付する型のナプキン１を例示したが、ショーツ型のナプキン１であってもよい。
【０１１８】
なお、展開状態とは、ショーツ型のナプキン１の幅方向の両側部５３ｅの接合が解かれ、ナプキン１が上下方向に展開された状態である。伸長状態とは、ショーツ型のナプキン１を皺なく伸長させた状態であり、ショーツ型のナプキン１を構成する資材の寸法が伸縮性部材の影響を受けない状態での寸法と一致又はそれに近い長さになるまでショーツ型のナプキン１を伸長させた状態である。
【０１１９】
ショーツ型のナプキン１は外装部材５３と吸収性本体５４を有する。外装部材５３は、図１２Ｂに示すように、非伸縮性シート５３１と、長手方向に折り返された非伸縮性シートの間に配置された伸縮性シート５３２を備える。図示しないが、吸収性本体２０は、少なくとも液透過性の肌側シートと液不透過性の非肌側シートと吸収体を備えるものとする。ただし、ショーツ型のナプキン１の構成は図示するものに限定されない。
【０１２０】
そして、ショーツ型のナプキン１にも温度上昇材３０を配置するとよい。例えば、図１２Ａに示すように、前側（腹側）の外装部材５３に、幅方向に沿って温度上昇材３０を設けたり、吸収性本体５４の前側の部位に、長手方向に沿って温度上昇材３０を設けたりするとよい。そうすることで、ショーツ型のナプキン１の着用者は心地良い温かさを感じることができる。
【０１２１】
また、ショーツ型のナプキン１は、外装部材５３によって着用者の胴回り、すなわち下腹部や腰部近傍の臀部が覆われる。そこで、前述のナプキン１（図６）と同様に、展開且つ伸長状態であるショーツ型のナプキン１の長手方向において、ナプキン１の前端１ａ１から中央側に１５０ｍｍ離れた位置までの領域３４の少なくとも一部に、より好ましくは、ナプキン１の前端１ａ１から中央側に１００ｍｍ離れた位置までの領域３５の少なくとも一部に、温度上昇材３０が設けられていることが好ましい。そうすることで、着用者の下腹部に当たるナプキン１の領域に温度上昇材３０を配置でき、着用者の下腹部を温めることができる。
【０１２２】
また、図示しないが、展開且つ伸長状態であるショーツ型のナプキン１の長手方向において、ナプキン１の後端１ａ２から中央側に１５０ｍｍ離れた位置までの領域の少なくとも一部に、より好ましくは、ナプキン１の後端１ａ２から中央側に１００ｍｍ離れた位置までの領域の少なくとも一部に、温度上昇材３０が設けられていることが好ましい。そうすることで、着用者の腰部近傍の臀部に当たるナプキン１の領域に温度上昇材３０を配置でき、着用者の腰部近傍の臀部を温めることができる。ただし、ショーツ型のナプキン１が温度上昇材３０を有していればよく、温度上昇材３０の配置領域３１は上記に限定されないものとする。
【０１２３】
＝＝＝ナプキン１の個包装体（吸収性物品包装体）＝＝＝
図１３は、ナプキン１を包装する包装材１１を外側から見た平面図である。図１４Ａは、展開途中のナプキン１の個包装体１０の平面図であり、図１４Ｂは、展開前のナプキン１の個包装体１０の平面図である。
【０１２４】
個包装体１０は、ナプキン１と、ナプキン１を包装する包装材１１と、止着テープ１２を備えている。図示する個包装体１０では、包装材１１の上に配置されたナプキン１が、ナプキン１の長手方向に沿う折り部Ｆ１，Ｆ２、及び、幅方向に沿う折り部Ｆ３，Ｆ４にて包装材１１と共に折り畳まれる。ただし、個包装体１０の折り畳み方法は特に限定されず、例えば、幅方向に沿う折り部Ｆ１，ｆ２のみで折り畳まれていてもよいし、包装材１１とは別にナプキン１のみで折り畳まれていてもよい。
【０１２５】
温度上昇材３０を備えるナプキン１を包装する包装材１１は、ナプキン１が温度上昇材３０を備えていることを想起させる想起表示１３を有することが好ましい。想起表示１３は、温かさが表現される図柄や文字や数字や記号であればよい。図１３の包装材１１には、包装材１１の外側面側から視認可能な想起表示１３が設けられている。具体的には、想起表示１３として、「Ｆｅｅｌｉｎｇ  ｏｆ  Ｗａｒｍｔｈ」、「Ｋｅｅｐ  Ｗａｒｍｉｎｇ」、「Ｗａｒｍ  Ｕ  ＵＰ」等の温かさを示す文字（表現）１３１や、熊がハートを抱きしめている図柄１３２が、包装材１１に設けられている。
【０１２６】
そのため、着用者は、個包装体１０の展開時に包装材１１の想起表示１３を見て、ナプキン１の着用により温かさが得られることを認識しやすくなる。よって、ナプキン１の着用後に温度上昇材３０により付与される心地よい温かさをより感じやすくなる。
【０１２７】
想起表示１３は、印刷や包装材１１の圧搾によって形成するとよい。また、想起表示１３は図１３に示すものに限定されず、例えば、ナプキン１を着用したことにより想定される皮膚表面度を表す数字や、熊がマフラーや手袋をしている図柄等であってもよい。また、想起表示１３は１種類であってもよいし、複数種類であってもよい。また、想起表示１３は、個包装体１０が展開された状態で視認可能であったり、包装材１１の内側面側から視認可能であったりしてもよい。ただし、上記に限定されず、温度上昇材３０を有するナプキン１を包装する包装材が、想起表示１３を有していなくてもよいとする。
【０１２８】
＝＝＝ナプキン１の個包装体１０のパッケージ６０＝＝＝
図１５は、個包装体のパッケージ６０の斜視図である。図１６は、パッケージ６０の裏面図である。
【０１２９】
パッケージ６０は、ナプキン１が包装材１１で包装された個包装体１０と、個包装体１０を収容する袋体６１を有する。袋体６１は、少なくとも合成樹脂を含むフィルム状の部材で形成された袋状の部材である。本実施形態では、透明の低密度ポリエチレン層（ＬＤＰＥ）と乳白色のポリエチレン層（ＰＥ）が接着した状態のフィルム部材によって形成されている。なお、図１５に示すパッケージ６０は、略直方体形状であるが、パッケージの形状は特に限定されず、例えば、筒状の包装材の上下を封じた袋形状のもの等であってもよい。
【０１３０】
そして、パッケージ６０の袋体６１が、ナプキン１を示す図柄６２，６３（以下「ナプキン図柄」とも呼ぶ）を有し、ナプキン図柄６２，６３の中に、温度上昇材３０を配置した領域を示す表示６４〜６６（以下「領域表示」とも呼ぶ）を備えることが好ましい。ナプキン図柄６２，６３及び領域表示６４〜６６は、より確実に着用者に視認されるように、パッケージ６０の外側から視認可能であるとよい。また、ナプキン図柄６２，６３や領域表示６４〜６６は袋体６１に印刷で形成するとよい。また、ナプキン１において温度上昇材３０が配置されている位置と、ナプキン図柄６２，６３における領域表示６４〜６６の位置とが、完全に一致していなくてもよい。
【０１３１】
具体的に、袋体６１の正面（図１５）には、ナプキン図柄６２が設けられている。そして、領域表示６４として、前側シート７が配置された領域に対応するナプキン図柄６２の部分に格子柄が付され、前記部分が暖色系の色で着色されている。
【０１３２】
また、袋体６１の裏面（図１６）にも、ナプキン図柄６３が設けられている。そして、領域表示６５として、前側シート７が配置された領域に対応するナプキン図柄６３の部分に格子柄が付され、前記部分が暖色系の色で着色されており、前記部分の中に「腹部熱感１０ｃｍ」という文字が設けられている。また、袋体６１の裏面には、領域表示６６として、吸収体２と重なるように温度上昇材３０が配置された領域に対応するナプキン図柄６３の部分にも、暖色系の色の格子柄が付されている。また、ナプキン図柄６３の外には、「２５ｃｍの吸収区域にも温熱感あり」という文字６７が設けられている。
【０１３３】
そのため、着用者は、パッケージ６０の購入時や開封時にナプキン図柄６２，６３及び領域表示６４〜６６を見て、ナプキン１を着用することにより温かくなること、及び、ナプキン１において温かくなる部位を認識しやすくなる。よって、ナプキン１の着用後に温度上昇材３０により付与される心地よい温かさをより感じやすくなる。また、着用者はナプキン１の温かくなる部位を自身の身体の温めたい部位（例えば下腹部等）に適切に当てることができ、ナプキン１が正しく装着されやすくなる。
【０１３４】
ただし、上記に限定されず、温度上昇材３０を有するナプキン１の個包装体１０は、ナプキン図柄６２，６３及び領域表示６４〜６６を有さないパッケージ６０に収容されていてもよい。
【０１３５】
また、パッケージ６０の袋体６１が、温度上昇材３０の機能を想起させる想起表示を、外部から視認可能に有することが好ましい。本実施形態では、製品名表示６８の「ＨＯＴ暖℃」が、想起表示でもある。「ＨＯＴ暖℃」の「ＨＯＴ」や「暖」は、いずれも温度上昇材３０による温め機能を想起させるものである。具体的には、袋体６１の正面（図１５）において、想起表示である「ＨＯＴ暖℃」より外側の領域を黒色等の濃い色とし、「ＨＯＴ暖℃」の文字の縁を赤色（所定の色）で着色し、「ＨＯＴ暖℃」の文字の内側に、箔押し加工で銀色の粒子状の金属が圧着されている。なお、箔押し加工による圧着させる金属は、粒子状でもシート状、ブロック状等、任意の状態の金属を用いることができる。これによって、「ＨＯＴ暖℃」の文字の内側の金属で、「ＨＯＴ暖℃」の文字の縁の赤色が乱反射して、「ＨＯＴ暖℃」の文字が立体感のある文字となり、着用者が想起表示に着目しやすくなり、着用者は、温感剤３０の機能を認識しやすくなる。また、「ＨＯＴ暖℃」より外側の領域を黒色等の濃い色とすることで、より「ＨＯＴ暖℃」の文字を目立たせることができる。
【０１３６】
＝＝＝温度上昇部材７０＝＝＝
図１７Ａ及び図１７Ｂは、温度上昇部材７０の個包装体７２の説明図である。図１７Ａは、展開状態の個包装体７２の平面図であり、図１７Ｂは、展開前の個包装体７２の平面図である。図１８は、ナプキン８０（吸収性物品）の個包装体８２の説明図であり、展開状態の個包装体８２の平面図である。
【０１３７】
前述の図１０に示すナプキン１では、吸収性能を有する本体部５０と、温度上昇材３０を備える温度上昇部５１とが、分離可能に接合された状態で、着用者に提供される。これに限らず、吸収性能を有するナプキン８０（図１８）と、温度上昇材３０を備える温度上昇部材７０（図１７Ａ）とが、別々に包装され、分離された状態で、着用者に提供されてもよい。
【０１３８】
ナプキン８０は、少なくとも、液透過性の肌側シート、液不透過性の非肌側シート、及び肌側シートと非肌側シートとの間に設けられた吸収体２を備えていればよい。ナプキン８０は、温度上昇材３０を備えていても、備えていなくてもよい。
【０１３９】
温度上昇部材７０は、ナプキン８０と共に使用され、少なくとも、温度上昇材３０が配置されたシートを備えていればよい。具体的には、図１に示すナプキン１の前方領域１Ａのように、肌側シート３と、非肌側シート５の間に、温度上昇材３０が配置された前側シート７が設けられたものを例示できる。また、図１７Ａに示す温度上昇部材７０の平面形状は、長手方向の両端部が外側に湾曲した略長方形状であるが、特に制限されない。
【０１４０】
ナプキン８０及び温度上昇部材７０は、それぞれの包装材８１，７１と共に折り部Ｆにて折り畳まれ、個包装体７２，８２となる。ナプキン８０の個包装体８２及び温度上昇部材７０の個包装体７２は、同じパッケージの袋体に収容されるとよい。つまり、ナプキン８０と温度上昇部材７０とがセットで着用者に提供されるとよい。そうすることで、着用者は、生理痛や冷え等を感じる時には、ナプキン８０と共に温度上昇部材７０を使用でき、心地良い温かさを感じることができる。一方、着用者は、生理痛や冷え等を感じない時には、ナプキン８０のみを使用でき、着用者の身体を過度に温めてしまうことを防止できる。
【０１４１】
また、温度上昇部材７０の個包装体７２のみが、パッケージの袋体に収容されて、着用者に提供されてもよい。この場合、着用者は、一般のナプキン（着用者が好んで使用しているナプキンや昼用，夜用等の用途に応じたナプキン）と共に適宜温度上昇部材７０を使用できる。
【０１４２】
なお、温度上昇部材７０は、ナプキン８０や一般のナプキンに接合された状態で使用されてもよい。例えば、温度上昇部材７０の非肌側面に設けられたずれ止め部（不図示）がナプキン８０等に接合された状態で使用されてもよい。また、温度上昇部材７０がナプキン８０等を破損せずにナプキン８０等に剥離や接合が可能なように、温度上昇部材７０の非肌側面に面ファスナーを設けてもよい。
【０１４３】
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのは言うまでもない。
【符号の説明】
【０１４４】
１  ナプキン（吸収性物品）、
１Ａ  前方領域、１Ｂ  後方領域、１Ｃ  中央領域、１ｗ  ウィング部、
２  吸収体、３  肌側シート、４  中間シート、５  非肌側シート、
６  サイドシート、７  前側シート（シート）、８  ずれ止め部、
９  後側シート（シート）、１０１  重複領域、１０２  非重複領域、
１０  個包装体、１１包装材、１２  止着テープ、１３  想起表示、
２０  圧搾部、
３０  温度上昇材、３１  配置領域、
３２  端部配置領域、３３  中央配置領域、
４０  熊の図柄（腹側であることを示す表示）、
４１  熊の脚の図柄（背側であることを示す表示）、
４２  文字（背側であることを示す表示）、
５０  本体部（吸収性能本体部）、５１  温度上昇部、５２  切り取り線、
６０  パッケージ、６１  袋体、
６２，６３  ナプキン図柄（吸収性物品を示す図柄）、
６４〜６６  領域表示（温度上昇材を配置した領域）、
７０  温度上昇部材、８０  ナプキン（吸収性物品）、
【図１】
2020121216.tif 000003
【図２】
2020121216.tif 000004
【図３】
2020121216.tif 000005
【図４】
2020121216.tif 000006
【図５】
2020121216.tif 000007
【図６】
2020121216.tif 000008
【図７】
2020121216.tif 000009
【図８】
2020121216.tif 000010
【図９】
2020121216.tif 000011
【図１０】
2020121216.tif 000012
【図１１】
2020121216.tif 000013
【図１２】
2020121216.tif 000014
【図１３】
2020121216.tif 000015
【図１４】
2020121216.tif 000016
【図１５】
2020121216.tif 000017
【図１６】
2020121216.tif 000018
【図１７】
2020121216.tif 000019
【図１８】
2020121216.tif 000020